(57)【特許請求の範囲】
【請求項１】
ワイヤレス媒体を介した送信のための送信バーストを生成することと、前記送信バーストが、プリアンブルと本体部分とを備え、ここにおいて、前記プリアンブルは前記送信バーストの始動をシグナリングするものであって、送信デバイス、送信されているデータのカテゴリー、および前記送信がスケジュールされたかスケジュールされていないかを示す識別情報を備える、
前記ワイヤレス媒体を介して前記送信バーストを送信することと
を備える、ワイヤレス通信のための方法。
【請求項２】
前記送信バーストを生成することが、
プリアンブルシーケンスを決定することと、
前記識別情報に少なくとも一部基づいて、前記プリアンブルシーケンスをスクランブルすることと
を備える、請求項１に記載の方法。
【請求項３】
前記送信バーストを送信することが、
前記識別情報に少なくとも一部基づいて、前記プリアンブルのための時間または周波数ロケーションを決定することと、
前記時間または周波数ロケーションで前記プリアンブルを送信することと
を備える、請求項１に記載の方法。
【請求項４】
送信バーストを受信することと、前記送信バーストが、プリアンブルと本体部分とを備え、ここにおいて、前記プリアンブルは前記送信バーストの始動をシグナリングするものであって、送信デバイス、送信されているデータのカテゴリー、および前記送信がスケジュールされたかスケジュールされていないかを示す識別情報を備える、
前記送信バーストの前記プリアンブルに少なくとも一部基づいて、識別情報を決定することと
を備える、ワイヤレス通信のための方法。
【請求項５】
前記識別情報に少なくとも一部基づいて、前記送信バーストの前記本体部分を無視することをさらに備える、請求項４に記載の方法。
【請求項６】
前記識別情報に少なくとも一部基づいて、前記送信バーストの干渉測定値を決定することと、
前記識別情報に関連するサービングセルに前記干渉測定値を送信することと
をさらに備える、請求項４に記載の方法。
【請求項７】
前記識別情報に少なくとも一部基づいて、前記送信バーストの干渉測定値を決定することと、
前記干渉測定値に少なくとも一部基づいて、前記送信バーストを消去することと
をさらに備える、請求項４に記載の方法。
【請求項８】
ワイヤレス媒体を介した送信のための送信バーストを生成するための手段と、前記送信バーストが、プリアンブルと本体部分とを備え、ここにおいて、前記プリアンブルは前記送信バーストの始動をシグナリングするものであって、送信デバイス、送信されているデータのカテゴリー、および前記送信がスケジュールされたかスケジュールされていないかに関連する識別情報を備える、
前記ワイヤレス媒体を介して前記送信バーストを送信するための手段と
を備える、ワイヤレス通信のための装置。
【請求項９】
前記送信バーストを生成するための前記手段が、
プリアンブルシーケンスを決定するための手段と、
前記識別情報に少なくとも一部基づいて、前記プリアンブルシーケンスをスクランブルするための手段と
を備える、請求項８に記載の装置。
【請求項１０】
前記送信バーストを送信するための前記手段が、
前記識別情報に少なくとも一部基づいて、前記プリアンブルのための時間または周波数ロケーションを決定するための手段と、
前記時間または周波数ロケーションで前記プリアンブルを送信するための手段と
を備える、請求項８に記載の装置。
【請求項１１】
送信バーストを受信するための手段と、前記送信バーストが、プリアンブルと本体部分とを備え、ここにおいて、前記プリアンブルは前記送信バーストの始動をシグナリングするものであって、送信デバイス、送信されているデータのカテゴリー、および前記送信がスケジュールされたかスケジュールされていないかを示す識別情報を備える、
前記送信バーストの前記プリアンブルに少なくとも一部基づいて、識別情報を決定するための手段と
を備える、ワイヤレス通信のための装置。
【請求項１２】
前記識別情報に少なくとも一部基づいて、前記送信バーストの前記本体部分を無視するための手段
をさらに備える、請求項１１に記載の装置。
【請求項１３】
前記識別情報に少なくとも一部基づいて、前記送信バーストの干渉測定値を決定するための手段と、
前記識別情報に関連するサービングセルに前記干渉測定値を送信するための手段と
をさらに備える、請求項１１に記載の装置。
【請求項１４】
前記送信バーストの干渉測定値を決定するための手段と、
前記干渉測定値に少なくとも一部基づいて、前記送信バーストを消去するための手段と
をさらに備える、請求項１１に記載の装置。
【請求項１５】
コンピューティングデバイスのプロセッサ上で実行されるとき、請求項１−３および／または４−７に記載の方法のうちのいずれかを行うように適応されたコンピュータプログラム。
【発明の詳細な説明】
【相互参照】
【０００１】
[0001]  本特許出願は、各々が本出願の譲受人に譲渡された、２０１５年９月８日に出願された、「Techniques for Conveying Identification Information in a Preamble Transmission」と題する、Ｙｏｏらによる米国特許出願第１４／８４７，３０８号、および２０１４年１０月２１日に出願された、「Techniques for Conveying Identification Information in a Preamble Transmission」と題する、Ｙｏｏらによる米国仮特許出願第６２／０６６，５５０号の優先権を主張する。
【技術分野】
【０００２】
[0002]  本開示は、例えば、ワイヤレス通信システムに関し、より詳細には、プリアンブル送信において識別情報を伝達することに関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（例えば、基地局からＵＥへの送信のために）ダウンリンクチャネル、および（例えば、ＵＥから基地局への送信のために）アップリンクチャネル上で、ＵＥと通信し得る。
【０００５】
[0005]  時間多重化通信システムでは、プリアンブルが、送信バーストの始まりで送信され得る。プリアンブルは、バーストの始まりをシグナリングし得、送信バーストの復調のために（例えば、チャネル推定のための）位相基準として使用され得る。プリアンブルは、送信バーストがスケジュールされない時間多重化システム（例えば、Ｗｉ−Ｆｉ（登録商標）などのアドホックシステム）において、一般に使用される。
【発明の概要】
【０００６】
[0006]  プリアンブルが、送信バーストの始まりで送信され得る。プリアンブルは、送信装置または送信されているデータのカテゴリーのうちの少なくとも１つを識別する際に使用するための識別情報を搬送し得る。
【０００７】
[0007]  一例では、ワイヤレス通信のための方法について説明する。本方法は、ワイヤレス媒体を介した送信のための送信バーストを生成することと、送信バーストがプリアンブルと本体部分とを備え、ここにおいて、プリアンブルが、送信デバイスまたは送信されているデータのカテゴリーのうちの少なくとも１つに関連する識別情報を備える、ワイヤレス媒体を介して送信バーストを送信することとを含み得る。
【０００８】
[0008]  一例では、ワイヤレス通信のための装置について説明する。本装置は、プロセッサと、プロセッサに結合されたメモリとを含み得、ここにおいて、プロセッサは、ワイヤレス媒体を介した送信のための送信バーストを生成することと、送信バーストがプリアンブルと本体部分とを備え、ここにおいて、プリアンブルが、送信デバイスまたは送信されているデータのカテゴリーのうちの少なくとも１つに関連する識別情報を備える、ワイヤレス媒体を介して送信バーストを送信することとを行うように構成される。
【０００９】
[0009]  一例では、ワイヤレス通信のための装置について説明する。本装置は、ワイヤレス媒体を介した送信のための送信バーストを生成するための手段と、送信バーストがプリアンブルと本体部分とを備え、ここにおいて、プリアンブルが、送信デバイスまたは送信されているデータのカテゴリーのうちの少なくとも１つに関連する識別情報を備える、ワイヤレス媒体を介して送信バーストを送信するための手段とを含み得る。
【００１０】
[0010]  一例では、ワイヤレス通信のためのコンピュータ実行可能命令を記憶する非一時的コンピュータ可読媒体について説明する。命令は、ワイヤレス媒体を介した送信のための送信バーストを生成するための命令と、送信バーストがプリアンブルと本体部分とを備え、ここにおいて、プリアンブルが、送信デバイスまたは送信されているデータのカテゴリーのうちの少なくとも１つに関連する識別情報を備える、ワイヤレス媒体を介して送信バーストを送信するための命令とを含み得る。
【００１１】
[0011]  方法、装置、または非一時的コンピュータ可読媒体のいくつかの例において、送信バーストを生成することは、プリアンブルシーケンスを決定し、識別情報に少なくとも一部基づいて、プリアンブルシーケンスをスクランブルするためのプロセス、特徴、手段、または命令を含み得る。他の例において、プリアンブルシーケンスは、スクランブルされないままである。方法、装置、または非一時的コンピュータ可読媒体のいくつかの例において、送信バーストを送信することは、識別情報に少なくとも一部基づいて、プリアンブルのための時間または周波数ロケーションを決定し、この時間または周波数ロケーションでプリアンブルを送信するためのプロセス、特徴、手段、または命令を含み得る。方法、装置、または非一時的コンピュータ可読媒体のいくつかの例において、時間または周波数ロケーションは、一定の間隔で離間したサブキャリアを備える。方法、装置、または非一時的コンピュータ可読媒体のいくつかの例において、時間または周波数ロケーションを決定することは、識別情報に対してモジュロ演算を行い、モジュロ演算に少なくとも一部基づいてサブキャリアインデックスオフセットを決定し、サブキャリアインデックスオフセットに少なくとも一部基づいて、プリアンブルを送信するための１つまたは複数のサブキャリアを選択するためのプロセス、特徴、手段、または命令を含み得る。
【００１２】
[0012]  方法、装置、または非一時的コンピュータ可読媒体のいくつかの例において、識別情報は、セル識別名を備える。方法、装置、または非一時的コンピュータ可読媒体のいくつかの例において、識別情報は、セルのグループに関連するグループ識別名を備える。方法、装置、または非一時的コンピュータ可読媒体のいくつかの例において、識別情報は、ユーザ機器（ＵＥ）識別名を備える。方法、装置、または非一時的コンピュータ可読媒体のいくつかの例において、識別情報は、送信バーストの本体部分中で搬送されるデータのカテゴリーに関連するデータ識別名、または送信の別の部分中で搬送されるデータのカテゴリーに関連するデータ識別名を備える。
【００１３】
[0013]  方法、装置、または非一時的コンピュータ可読媒体のいくつかの例において、送信バーストを送信することは、免許不要無線周波数スペクトル帯域上で送信するためのプロセス、特徴、手段、または命令を含み得る。方法、装置、または非一時的コンピュータ可読媒体のいくつかの例において、送信バーストは、時分割複信（ＴＤＤ）送信を備える。方法、装置、または非一時的コンピュータ可読媒体のいくつかの例において、本体部分は、ユーザデータ、および／あるいは肯定応答（ＡＣＫ）データ、否定応答（ＮＡＣＫ）データ、ＤＬ許可、ＵＬ許可、プロトコルヘッダなど、プロトコルスタックの物理、ＭＡＣ、または上位レイヤによって生成された様々な制御情報を含んでいることがある。
【００１４】
[0014]  一例では、ワイヤレス通信のための方法について説明する。本方法は、送信バーストを受信することと、送信バーストが、プリアンブルと本体部分とを備える、送信バーストのプリアンブルに少なくとも一部基づいて、送信デバイス、本体部分中のデータのカテゴリー、または送信の別の部分中のデータのカテゴリーのうちの少なくとも１つに関連する識別情報を決定することとを含み得る。
【００１５】
[0015]  一例では、ワイヤレス通信のための装置について説明する。本装置は、プロセッサと、プロセッサに結合されたメモリとを含み得、ここにおいて、プロセッサは、送信バーストを受信することと、送信バーストが、プリアンブルと本体部分とを備える、送信バーストのプリアンブルに少なくとも一部基づいて、送信デバイス、本体部分中のデータのカテゴリー、または送信の別の部分中のデータのカテゴリーのうちの少なくとも１つに関連する識別情報を決定することとを行うように構成される。
【００１６】
[0016]  一例では、ワイヤレス通信のための装置について説明する。本装置は、送信バーストを受信するための手段と、送信バーストが、プリアンブルと本体部分とを備える、送信バーストのプリアンブルに少なくとも一部基づいて、送信デバイス、本体部分中のデータのカテゴリー、または送信の別の部分中のデータのカテゴリーのうちの少なくとも１つに関連する識別情報を決定するための手段とを含み得る。
【００１７】
[0017]  一例では、ワイヤレス通信のためのコンピュータ実行可能命令を記憶する非一時的コンピュータ可読媒体について説明する。命令は、送信バーストを受信するための命令と、送信バーストが、プリアンブルと本体部分とを備える、送信バーストのプリアンブルに少なくとも一部基づいて、送信デバイス、本体部分中のデータのカテゴリー、または送信の別の部分中のデータのカテゴリーのうちの少なくとも１つに関連する識別情報を決定するための命令とを含み得る。
【００１８】
[0018]  方法、装置、または非一時的コンピュータ可読媒体のいくつかの例において、識別情報は、セル識別名、セルのグループに関連するグループ識別名、ユーザ機器（ＵＥ）識別名、送信バーストの本体部分中で搬送されるデータのカテゴリーに関連するデータ識別名、または送信の別の部分中で搬送されるデータのカテゴリーに関連するデータ識別名のうちの少なくとも１つを備える。方法、装置、または非一時的コンピュータ可読媒体のいくつかの例は、セル識別名がサービングセル識別名に一致するかどうかを決定するためのプロセス、特徴、手段、または命令を含み得る。方法、装置、または非一時的コンピュータ可読媒体のいくつかの例は、識別情報に少なくとも一部基づいて、送信バーストの本体部分を無視するためのプロセス、特徴、手段、または命令を含み得る。
【００１９】
[0019]  方法、装置、または非一時的コンピュータ可読媒体のいくつかの例は、識別情報に少なくとも一部基づいて、送信バーストの干渉測定値を決定するためのプロセス、特徴、手段、または命令を含み得る。方法、装置、または非一時的コンピュータ可読媒体のいくつかの例は、チャネル品質インジケータ（ＣＱＩ）報告の一部として送信され得る、干渉測定値をサービングセル識別名に関連するサービングセルに送信するためのプロセス、特徴、手段、または命令を含み得る。方法、装置、または非一時的コンピュータ可読媒体のいくつかの例は、干渉測定値に少なくとも一部基づいて、送信バーストを消去するためのプロセス、特徴、手段、または命令を含み得る。
【００２０】
[0020]  方法、装置、または非一時的コンピュータ可読媒体のいくつかの例は、受信されたプリアンブルに少なくとも一部基づいて、チャネル推定を決定するためのプロセス、特徴、手段、または命令を含み得る。方法、装置、または非一時的コンピュータ可読媒体のいくつかの例は、受信されたプリアンブルに少なくとも一部基づいて、送信バーストの本体部分の始まりを決定するためのプロセス、特徴、手段、または命令を含み得る。方法、装置、または非一時的コンピュータ可読媒体のいくつかの例において、送信バーストは、免許不要無線周波数スペクトル帯域上で受信される。方法、装置、または非一時的コンピュータ可読媒体のいくつかの例において、送信バーストは、時分割複信（ＴＤＤ）通信を備える。方法、装置、または非一時的コンピュータ可読媒体のいくつかの例において、本体部分は、ユーザデータ、および／あるいは肯定応答（ＡＣＫ）データ、否定応答（ＮＡＣＫ）データ、ＤＬ許可、ＵＬ許可、プロトコルヘッダなど、プロトコルスタックの物理、ＭＡＣ、または上位レイヤによって生成された様々な制御情報を含んでいることがある。
【００２１】
[0021]  上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を行うための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００２２】
[0022]  以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２３】
【図１】本開示の様々な態様による、ワイヤレス通信システムのブロック図。
【図２】本開示の様々な態様による、ＬＴＥ（登録商標）／ＬＴＥ−Ａが、免許不要無線周波数スペクトル帯域を使用して異なるシナリオの下で展開され得るワイヤレス通信システムを示す図。
【図３】本開示の様々な態様による、ワイヤレス通信の一例を示す図。
【図４】本開示の様々な態様による、ワイヤレス通信システムにおいて送信され得るＴＤＤサブフレームの一例を概念的に示すブロック図。
【図５】本開示の様々な態様による、ワイヤレス通信システムにおいて送信され得るＴＤＤサブフレームの別の例を概念的に示すブロック図。
【図６】本開示の様々な態様による、ワイヤレス通信において使用するための装置のブロック図。
【図７】本開示の様々な態様による、ワイヤレス通信において使用するための別の装置のブロック図。
【図８】本開示の様々な態様による、ワイヤレス通信において使用するためのＵＥのブロック図。
【図９】本開示の様々な態様による、ワイヤレス通信において使用するための基地局のブロック図。
【図１０】本開示の様々な態様による、ワイヤレス通信のための方法の一例を示すフローチャート。
【図１１】本開示の様々な態様による、ワイヤレス通信のための方法の別の例を示すフローチャート。
【図１２】本開示の様々な態様による、ワイヤレス通信のための方法のまた別の例を示すフローチャート。
【図１３】本開示の様々な態様による、ワイヤレス通信のための方法のさらに別の例を示すフローチャート。
【詳細な説明】
【００２４】
[0036]  送信バーストに関連するプリアンブル中で識別情報を伝達するための技法について説明する。送信バーストが、ワイヤレス媒体を介した送信のために生成され得る。送信バーストは、プリアンブルと本体部分とを含み得る。プリアンブルは、セル識別子、ＵＥ識別子、グループ識別子、トラフィックカテゴリーインジケータ、または他の識別情報など、送信デバイスに関連する識別情報を含み得る。本体部分は、ユーザデータ、並びに／または肯定応答（ＡＣＫ）データ、否定応答（ＮＡＣＫ）データ、ＤＬ許可、ＵＬ許可、プロトコルヘッダなど、プロトコルスタックの物理、ＭＡＣ、および上位レイヤによって生成された様々な制御情報を含んでいることがある。次いで、送信バーストは、ワイヤレス媒体を介して送信され得る。
【００２５】
[0037]  以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。例えば、説明する方法は、説明する順序とは異なる順序で行われ得、様々なステップが追加、省略、または組み合わせられ得る。また、いくつかの例に関して説明する特徴は、他の例において組み合わせられ得る。
【００２６】
[0038]  本明細書および添付の特許請求の範囲で使用する「プリアンブル」という用語は、バーストの始まりで送信される１つまたは複数の予め定義されたシーケンスのセットを指す。
【００２７】
[0039]  本明細書および添付の特許請求の範囲で使用する「バースト」という用語は、１つまたは複数のチャネルの定義されたセット上の無中断ワイヤレス送信を指す。送信バーストは、例えば、時間期間および／または論理期間にわたって、無中断であり得る。
【００２８】
[0040]  図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（例えば、Ｓ１など）を通してコアネットワーク１３０とインターフェースし得、ＵＥ１１５との通信のための無線構成およびスケジューリングを行い得るか、または基地局コントローラ（図示せず）の制御下で動作し得る。様々な例において、基地局１０５は、ワイヤードまたはワイヤレス通信リンクであり得るバックホールリンク１３４（例えば、Ｘ１など）を介して、直接的または間接的のいずれかで（例えば、コアネットワーク１３０を通して）、互いに通信し得る。
【００２９】
[0041]  基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例において、基地局１０５は、基地トランシーバ局、無線基地局、アクセスポイント、無線トランシーバ、ノードＢ、発展型または拡張ノードＢ（ｅＮＢ）、ホームノードＢ、ホームｅＮＢ、あるいは何か他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（例えば、マクロ基地局またはスモールセル基地局）を含み得る。異なる技術のための重複する地理的カバレージエリア１１０があり得る。
【００３０】
[0042]  いくつかの例において、ワイヤレス通信システム１００はＬＴＥ／ＬＴＥ−Ａネットワークを含み得る。ＬＴＥ／ＬＴＥ−Ａネットワークにおいて、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（例えば、セクタなど）を表すために使用され得る３ＧＰＰ（登録商標）用語である。
【００３１】
[0043]  マクロセルは、比較的大きい地理的エリア（例えば、半径数キロメートル）をカバーし得、ネットワークプロバイダのサービスに加入しているＵＥによる無制限アクセスを可能にし得る。スモールセルは、マクロセルと比較して、同じまたは異なる（例えば、免許、免許不要などの）無線周波数スペクトル帯域においてマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（例えば、自宅）をもカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セル（例えば、コンポーネントキャリア）をサポートし得る。
【００３２】
[0044]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３３】
[0045]  ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何か他の好適な用語を含むか、またはそのように当業者によって呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３４】
[0046]  ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることがあり、アップリンク送信は逆方向リンク送信と呼ばれることがある。いくつかの例において、各通信リンク１２５は１つまたは複数のキャリアを含み得、ここで、各キャリアは、上記で説明された様々な無線技術に従って変調された複数のサブキャリア（例えば、異なる周波数の波形信号）からなる信号であり得る。各被変調信号は、異なるサブキャリア上で送られ得、制御情報（例えば、基準信号、制御チャネルなど）、オーバーヘッド情報、ユーザデータなどを搬送し得る。通信リンク１２５は、周波数領域複信（ＦＤＤ：frequency domain duplexing）動作を使用して（例えば、対スペクトルリソースを使用して）、または時間領域複信（ＴＤＤ：time domain duplexing）動作を使用して（例えば、不対スペクトルリソースを使用して）双方向通信を送信し得る。ＦＤＤ動作のためのフレーム構造（例えば、フレーム構造タイプ１）とＴＤＤ動作のためのフレーム構造（例えば、フレーム構造タイプ２）とが定義され得る。
【００３５】
[0047]  ワイヤレス通信システム１００のいくつかの具体例において、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３６】
[0048]  ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ：component carrier）、レイヤ、チャネルなどと呼ばれることがある。「キャリア」、「コンポーネントキャリア」、「セル」、および「チャネル」という用語は、本明細書では同義で使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３７】
[0049]  ワイヤレス通信システム１００は、同じくまたは代替的に、免許無線周波数スペクトル帯域（例えば、ＬＴＥ／ＬＴＥ−Ａ通信のために使用可能な免許無線周波数スペクトル帯域など、無線周波数スペクトル帯域が、特定の使用のために特定のユーザに免許されているので、送信装置がそれのためにアクセスを求めて競合しないことがある、無線周波数スペクトル帯域）または免許不要無線周波数スペクトル帯域（例えば、無線周波数スペクトル帯域が、Ｗｉ−Ｆｉ使用など、無免許使用のために利用可能であるので、送信装置がそれのためにアクセスを求めて競合する必要があり得る、無線周波数スペクトル帯域）上での動作をサポートし得る。免許不要無線周波数スペクトル帯域へのアクセスのための競合に勝つと、送信装置（例えば、基地局１０５またはＵＥ１１５）は、免許不要無線周波数スペクトル帯域上でプリアンブルを送信し得る。プリアンブルは、免許不要無線周波数スペクトル帯域が正常にアクセスされ、送信バーストが開始していることを、受信装置にシグナリングし得る。受信装置は、免許不要無線周波数スペクトル帯域のチャネル推定のためにプリアンブルを使用し得る。
【００３８】
[0050]  追加または代替として、送信装置は、送信バーストが開始していることをシグナリングするために、免許無線周波数スペクトル帯域上でプリアンブルを送信し得る。受信装置は、免許無線周波数スペクトル帯域のチャネル推定のためにプリアンブルを使用し得る。
【００３９】
[0051]  追加または代替として、プリアンブルは、免許無線周波数スペクトル帯域または免許不要無線周波数スペクトル帯域のいずれか上で、送信デバイスあるいは、送信バースト中のデータのカテゴリーまたは送信の別の部分中のデータのカテゴリーなど、送信されているデータのカテゴリーのうちの少なくとも１つに関連する識別情報を搬送し得る。識別情報は、例えば、セル識別名、セルのグループに関連するグループ識別名、ＵＥ識別名、ＵＥのグループに関連するグループ識別名、または送信バースト中で送信されているデータのカテゴリーの識別名を含み得る。受信装置は、送信バーストが、受信装置をサービスするセル、またはセルのグループによって送信されているかどうかを決定するために、セル識別名（またはセルのグループの識別名）を利用し得る。受信装置は、送信バーストが、受信装置によってサービスされるＵＥ、またはＵＥのグループによって送信されているかどうかを決定するために、ＵＥ識別名（またはＵＥのグループの識別名）を利用し得る。受信装置は、送信バーストが、有用なデータを搬送しているかどうかを決定するために、データのカテゴリーの識別名を利用し得る。
【００４０】
[0052]  図２に、本開示の様々な態様による、ＬＴＥ／ＬＴＥ−Ａが、免許不要無線周波数スペクトル帯域を使用して異なるシナリオの下で展開され得るワイヤレス通信システム２００を示す。より詳細には、図２は、ＬＴＥ／ＬＴＥ−Ａが免許不要無線周波数スペクトル帯域を使用して展開される、補足ダウンリンクモード、キャリアアグリゲーションモード、およびスタンドアロンモードの例を示す。ワイヤレス通信システム２００は、図１を参照しながら説明したワイヤレス通信システム１００の部分の一例であり得る。その上、第１の基地局２０５および第２の基地局２０６は、図１を参照しながら説明した基地局１０５のうちの１つまたは複数の態様の例であり得るが、第１のＵＥ２１５、第２のＵＥ２１６、第３のＵＥ２１７、および第４のＵＥ２１８は、図１を参照しながら説明したＵＥ１１５のうちの１つまたは複数の態様の例であり得る。
【００４１】
[0053]  ワイヤレス通信システム２００における補足ダウンリンクモードのいくつかの例において、第１の基地局２０５は、ダウンリンクチャネル２２０を使用して第１のＵＥ２１５に通信を送信し得る。ダウンリンクチャネル２２０は、免許不要無線周波数スペクトル帯域における周波数Ｆ１に関連し得る。第１の基地局２０５は、第１の双方向リンク２２５を使用して第１のＵＥ２１５に通信を送信し得、第１の双方向リンク２２５を使用して第１のＵＥ２１５から通信を受信し得る。第１の双方向リンク２２５は、免許無線周波数スペクトル帯域における周波数Ｆ４に関連し得る。免許不要無線周波数スペクトル帯域におけるダウンリンクチャネル２２０および免許無線周波数スペクトル帯域における第１の双方向リンク２２５は、同時に動作し得る。ダウンリンクチャネル２２０はダウンリンク容量オフロードを第１の基地局２０５に与え得る。いくつかの例において、ダウンリンクチャネル２２０は、（例えば、１つのＵＥに宛てられた）ユニキャストサービスのために、または（例えば、いくつかのＵＥに宛てられた）マルチキャストサービスのために使用され得る。このシナリオは、免許無線周波数スペクトルを使用し、トラフィックまたはシグナリング輻輳の一部を軽減する必要がある、サービスプロバイダ（例えば、モバイルネットワーク事業者（ＭＮＯ））に関して発生し得る。
【００４２】
[0054]  ワイヤレス通信システム２００におけるキャリアアグリゲーションモードのいくつかの例において、第１の基地局２０５は、第２の双方向リンク２３０を使用して第２のＵＥ２１６に通信を送信し得、第２の双方向リンク２３０を使用して第２のＵＥ２１６から通信を受信し得る。第２の双方リンク２３０は、免許不要無線周波数スペクトル帯域における周波数Ｆ１に関連し得る。追加または代替として、第１の基地局２０５は、第３の双方向リンク２３５を使用して第２のＵＥ２１６に通信を送信し得、第３の双方向リンク２３５を使用して第２のＵＥ２１６から通信を受信し得る。第３の双方向リンク２３５は、免許無線周波数スペクトル帯域における周波数Ｆ２に関連し得る。第２の双方向リンク２３０は、第１の基地局２０５にダウンリンクおよびアップリンク容量オフロードを与え得る。上記で説明した補足ダウンリンクのように、このシナリオは、免許無線周波数スペクトルを使用し、トラフィックまたはシグナリング輻輳の一部を軽減する必要がある、サービスプロバイダ（例えば、ＭＮＯ）に関して発生し得る。
【００４３】
[0055]  ワイヤレス通信システム２００におけるキャリアアグリゲーションモードのいくつかの例において、第１の基地局２０５は、第４の双方向リンク２４０を使用して第３のＵＥ２１７に通信を送信し得、第４の双方向リンク２４０を使用して第３のＵＥ２１７から通信得る。第４の双方向リンク２４０は、免許不要無線周波数スペクトル帯域における周波数Ｆ３に関連し得る。追加または代替として、第１の基地局２０５は、第５の双方向リンク２４５を使用して第３のＵＥ２１７に通信を送信し得、第５の双方向リンク２４５を使用して第３のＵＥ２１７から通信を受信し得る。第５の双方向リンク２４５は、免許無線周波数スペクトル帯域における周波数Ｆ２に関連し得る。第４の双方向リンク２４０は、第１の基地局２０５にダウンリンクおよびアップリンク容量オフロードを与え得る。この例および上記で与えた例は説明の目的で提示され、容量オフロードのために、免許無線周波数スペクトル帯域においてＬＴＥ／ＬＴＥ−Ａを組み合わせ、免許不要無線周波数スペクトル帯域を使用する他の同様の動作モードまたは展開シナリオがあり得る。
【００４４】
[0056]  ワイヤレス通信システム２００におけるスタンドアロンモードのいくつかの例において、第２の基地局２０６は、双方向リンク２５０を使用して第４のＵＥ２１８に通信を送信し得、双方向リンク２５０を使用して第４のＵＥ２１８から通信を受信し得る。双方向リンク２５０は、免許不要無線周波数スペクトル帯域における周波数Ｆ３に関連し得る。スタンドアロンモードは、スタジアム内アクセス（例えば、ユニキャスト、マルチキャスト）など、非旧来型ワイヤレスアクセスシナリオにおいて使用され得る。この動作モードのためのサービスプロバイダのタイプの一例は、免許無線周波数スペクトル帯域へのアクセスを有しない、スタジアム所有者、ケーブル会社、イベント主催者、ホテル、企業、または大企業であり得る。
【００４５】
[0057]  上記で説明したように、免許不要無線周波数スペクトル帯域におけるＬＴＥ／ＬＴＥ−Ａを使用することによって提供される容量オフロードから恩恵を受け得る１つのタイプのサービスプロバイダは、ＬＴＥ／ＬＴＥ−Ａ免許無線周波数スペクトル帯域へのアクセス権利を有する旧来のＭＮＯである。これらのサービスプロバイダの場合、動作例は、免許無線周波数スペクトル帯域上のＬＴＥ／ＬＴＥ−Ａ１次コンポーネントキャリア（ＰＣＣ）と免許不要無線周波数スペクトル帯域上の少なくとも１つの２次コンポーネントキャリア（ＳＣＣ）とを使用するブートストラップモード（例えば、補足ダウンリンク、キャリアアグリゲーション）を含み得る。
【００４６】
[0058]  キャリアアグリゲーションモードのいくつかの例において、データおよび制御は、（例えば、第１の双方向リンク２２５と、第３の双方向リンク２３５と、第５の双方向リンク２４５とを介して）免許無線周波数スペクトル帯域において通信され得るが、データは、例えば、（例えば、第２の双方向リンク２３０と第４の双方向リンク２４０とを介して）免許不要無線周波数スペクトル帯域において通信され得る。免許不要無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションに入り得る。
【００４７】
[0059]  データ通信は、送信バーストの形態であり得る。送信バーストは、プリアンブルと本体部分とを含み得る。プリアンブルは、通信が免許不要無線周波数スペクトル帯域上にある場合、免許不要無線周波数スペクトル帯域が正常にアクセスされたことを、受信装置にシグナリングし得る。追加または代替として、プリアンブルは、送信バーストが開始していることを、受信装置にシグナリングし得る。受信装置は、免許または免許不要無線周波数スペクトル帯域のチャネル推定のためにプリアンブルを使用し得る。
【００４８】
[0060]  追加または代替として、プリアンブルは、免許無線周波数スペクトル帯域または免許不要無線周波数スペクトル帯域のいずれか上で、送信装置あるいは、送信バースト中のデータのカテゴリーまたは送信の別の部分中のデータのカテゴリーなど、送信されているデータのカテゴリーのうちの少なくとも１つに関連する識別情報を搬送し得る。識別情報は、例えば、セル識別名、セルのグループに関連するグループ識別名、ＵＥ識別名、または送信バースト中で送信されているデータのカテゴリーの識別名を含み得る。受信装置は、送信バーストが、受信装置をサービスするセル、またはセルのグループによって送信されているかどうかを決定するために、セル識別名（またはセルのグループの識別名）を利用し得る。受信装置は、送信バーストが、送信装置に関連するＵＥによって送信されているかどうかを決定するために、ＵＥ識別名を利用し得る。受信装置は、送信バーストが、有用なデータを搬送しているかどうかを決定するために、データのカテゴリーの識別名を利用し得る。
【００４９】
[0061]  いくつかの例では、図１または図２を参照しながら説明した基地局１０５、２０５、または２０６のうちの１つ、あるいは図１または図２を参照しながら説明したＵＥ１１５、２１５、２１６、２１７、または２１８のうちの１つなどの送信装置が、免許不要無線周波数スペクトル帯域のチャネルへの（例えば、免許不要無線周波数スペクトル帯域の物理チャネルへの）アクセスを獲得するために、ゲーティング間隔を使用し得る。いくつかの例において、ゲーティング間隔は周期的であり得る。例えば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ）（ＥＮ３０１  ８９３）において指定されているリッスンビフォアトーク（ＬＢＴ）プロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（例えば、ＬＢＴプロシージャ）をいつ行う必要があるかを示し得る。ＣＣＡプロシージャの結果は、免許不要無線周波数スペクトル帯域のチャネルが（ＬＢＴ無線フレームとも呼ばれる）ゲーティング間隔のために利用可能であるのか使用中であるのかを送信装置に示し得る。対応するＬＢＴ無線フレームのためにチャネルが利用可能（例えば、使用のために「クリア」）であることをＣＣＡプロシージャが示すとき、送信装置は、ＬＢＴ無線フレームの一部または全部の間に免許不要無線周波数スペクトル帯域のチャネルを予約または使用し得る。チャネルが利用可能でないこと（例えば、チャネルが別の送信装置によって使用中または予約済みであること）をＣＣＡプロシージャが示すとき、送信装置は、ＬＢＴ無線フレームの間にチャネルを使用することを妨げられ得る。
【００５０】
[0062]  図３に、本開示の様々な態様による、ワイヤレス通信の一例３００を示す。通信は、少なくとも１つのダウンリンク（ＤＬ）送信バースト３０５と、少なくとも１つのアップリンク（ＵＬ）送信バースト３２０とを含む。いくつかの例において、ＤＬ送信バースト３０５は、プリアンブル３１０と本体部分３１５とを含み得る。いくつかの例において、ＵＬ送信バースト３２０は、プリアンブル３２５と本体部分３３０とを含み得る。いくつかの例において、ＵＬ送信バーストは、スケジュールされた通信であり得、本体部分３３０のみを含み得る。ＤＬ送信バースト３０５は、図１および図２を参照して説明したように、基地局１０５、２０５、または２０６などの送信装置によって送信され得る。ＤＬ送信バースト３０５は、図１および図２を参照して説明したように、ＵＥ１１５、２１５、２１６、２１７、または２１８などの受信装置によって受信され得る。ＵＬ送信バースト３２０は、図１および図２を参照して説明したように、ＵＥ１１５、２１５、２１６、２１７、または２１８などの送信装置によって送信され得る。ＵＬ送信バースト３２０は、図１および図２を参照して説明したように、基地局１０５、２０５、または２０６などの受信装置によって受信され得る。
【００５１】
[0063]  ＤＬ送信バースト３０５について、送信装置は、各ＤＬ送信バースト３０５の始まりでプリアンブル３１０を送信し得る。プリアンブル３１０は、送信装置、または本体部分３１５中のカテゴリーデータなど、送信されているデータのカテゴリーのうちの少なくとも１つに関連する識別情報を搬送し得る。識別情報は、例えば、セル識別名、セルのグループに関連するグループ識別名、またはＤＬ送信バースト３０５中で送信されているデータのカテゴリーの識別名を含み得る。
【００５２】
[0064]  プリアンブル３１０は、ＤＬ送信バースト３０５の始まりでチャネル推定を行うために、受信装置によって利用され得る。チャネル推定は、送信装置の長い非アクティビティ期間の後に、または受信装置の間欠受信（ＤＲＸ）間隔の後に役立ち得る。プリアンブル３１０は、ＤＬ送信バースト３０５の始動をシグナリングし得る。ＤＬ送信バースト３０５が免許不要無線周波数スペクトル上で送信される場合、プリアンブル３１０は、例えば、免許不要無線周波数スペクトルへの正常なアクセスをシグナリングし得る。
【００５３】
[0065]  プリアンブル３１０によって搬送される識別情報が、セル識別名、またはセルのグループに関連するグループ識別名を含むとき、識別情報は、受信装置（例えば、ＵＥ）が、特定の送信装置（例えば、ＵＥをサービスするセル、またはＵＥに関連するセルのグループ）からのＤＬ送信バースト３０５を、別の送信装置（例えば、ネイバリングセル、または異なるネットワークに属するセル）からのＤＬ送信バーストと区別することを可能にし得る。このようにして、受信装置（例えば、ＵＥ）は、特定の知られている送信装置（例えば、ＵＥをサービスするセル、またはＵＥに関連するセルのグループ）からのプリアンブル３１０のみを探し得る。プリアンブルが、知られている送信装置に一致しない識別情報（例えば、セル識別名）を搬送する場合、ＤＬ送信バーストの本体部分は、受信装置（例えば、ＵＥ）によって無視され得る。このようにして、他の送信装置からのプリアンブルが干渉として知覚され得るとき、受信装置（例えば、ＵＥ）は干渉を測定し得る。
【００５４】
[0066]  受信装置は、干渉する送信装置からのチャネルを推定するために、干渉する送信装置からのプリアンブルを使用し得る。干渉する送信装置のチャネル推定値は、復調または復号を改善するために、受信装置によって使用され得る。例えば、干渉する送信装置のチャネル推定値は、干渉推定を改善するために使用され得る。別の例において、干渉する送信装置のチャネル推定値は、干渉する送信装置からのデータ送信を復調、復号、および消去するために使用され得る。また別の例において、干渉する送信装置のチャネル推定値は、知られている送信装置からのデータ送信の復調および復号を向上させるために使用され得る。
【００５５】
[0067]  プリアンブル３１０によって搬送される識別情報が、ＤＬ送信バースト３０５中で送信されているデータのカテゴリーの識別名を含むとき、識別情報は、受信装置（例えば、ＵＥ）が本体部分３１５中のデータのカテゴリーを区別することを可能にし得る。例えば、識別情報は、本体部分３１５がユニキャストトラフィックを含むことを伝達し得る。代替的にまたは追加として、識別情報は、本体部分３１５がブロードキャストまたはマルチキャストトラフィックを含むことを伝達し得る。代替的にまたは追加として、識別情報は、本体部分３１５が、肯定応答／否定応答（ＡＣＫ／ＮＡＣＫ）データなどの制御データを含むことを伝達し得る。
【００５６】
[0068]  識別情報は、受信装置（例えば、ＵＥ）が、関係するサービスを無関係なサービスと区別することを可能にし得る。例えば、識別情報は、本体部分３１５が、肯定応答／否定応答（ＡＣＫ／ＮＡＣＫ）データなどの制御データを含み得ることを伝達し得る。ＡＣＫ／ＮＡＣＫは、アップリンクトラフィックを前に送っており、ＡＣＫ／ＮＡＣＫを予想しているＵＥにとって関係するサービスであり得る。しかしながら、ＡＣＫ／ＮＡＣＫは、全ての他のＵＥにとって無関係なサービスであり得、従ってそれらによって無視され得る。
【００５７】
[0069]  ＵＬ送信バースト３２０において、送信装置（例えば、ＵＥ）は、各ＵＬ送信バースト３２０の始まりでプリアンブル３２５を送信し得る。プリアンブル３２５は、送信装置、または本体部分３３０中のデータのカテゴリーなど、送信されているデータのカテゴリーのうちの少なくとも１つに関連する識別情報を搬送し得る。識別情報は、例えば、ＵＥ識別名、またはＵＬ送信バースト３２０中で送信されているデータのカテゴリーの識別名を含み得る。
【００５８】
[0070]  プリアンブル３２５によって搬送される識別情報が、ＵＥ識別名を含むとき、識別情報は、受信装置（例えば、サービングセル）が、特定の送信装置（例えば、セルによってサービスされているＵＥ）からのＵＬ送信バースト３２０を、別の送信装置（例えば、異なるネットワークに属するＵＥ）からのＵＬ送信バーストと区別することを可能にし得る。このようにして、受信装置（例えば、サービングセル）は、特定の知られている送信装置（例えば、セルによってサービスされているＵＥ）からのプリアンブル３２５のみを探し得る。プリアンブルが、知られている送信装置に一致しない識別情報（例えば、ＵＥ識別名）を搬送する場合、ＵＬ送信バーストは、受信装置（例えば、サービングセル）によって無視され得る。このようにして、他の送信装置からのプリアンブルが干渉として知覚され得るとき、受信装置（例えば、サービングセル）は干渉を測定し得る。
【００５９】
[0071]  ＬＴＥ／ＬＴＥ−Ａなどのスケジューリングベースシステムにおいて、ＵＬ送信は、一般にサービングｅＮＢによってスケジュールされる。そのようなシナリオにおいて、ｅＮＢは、特定の時間および周波数リソースで、スケジュールされたＵＥからの制御／データ送信を予想する。この場合、識別情報は、受信ｅＮＢが、スケジュールされたＵＥからのＵＬ送信バーストを、別のＵＥからのＵＬ送信バーストと区別することを可能にし得る。このようにして、サービングｅＮＢは、スケジュールされたＵＥからのプリアンブルのみを探し得る。プリアンブルが、スケジュールＵＥに一致しない識別情報を搬送する場合、ＵＬ送信バーストは、サービングｅＮＢによって無視され得る。このようにして、他の送信装置からのプリアンブルが干渉として知覚され得るとき、受信装置（例えば、サービングｅＮＢ）は干渉を測定し得る。
【００６０】
[0072]  ＬＴＥ／ＬＴＥ−Ａなどのスケジューリングベースシステムにおいて、ｅＮＢは、スケジュールされていないＵＬ送信を依然として可能にし得る。例えば、サービングｅＮＢは、いくつかの条件下で、制御情報および／またはユーザデータの競合ベースＵＬ送信を可能にし得る。この場合、プリアンブルによって搬送される識別情報は、送信がスケジュールされていないことを伝達し得る。これは、受信ｅＮＢが、スケジュールされたＵＬ送信対スケジュールされていないＵＬ送信を区別することを可能にする。識別情報は、ＵＥ識別名をさらに伝達し得るか、または代わりに、ＵＥ識別名は、ＵＬ送信バーストの本体部分中で伝達され得る。
【００６１】
[0073]  受信装置は、干渉する送信装置からのチャネルを推定するために、干渉する送信装置からのプリアンブルを使用し得る。干渉する送信装置のチャネル推定値は、復調または復号を改善するために、受信装置によって使用され得る。例えば、干渉する送信装置のチャネル推定値は、干渉推定を改善するために使用され得る。別の例において、干渉する送信装置のチャネル推定値は、干渉する送信装置からのデータ送信を復調、復号、および消去するために使用され得る。また別の例において、干渉する送信装置のチャネル推定値は、知られている送信装置からのデータ送信の復調および復号を向上させるために使用され得る。
【００６２】
[0074]  ＴＤＤセルラーシステムにおいて、プリアンブル３１０は、ＤＬ送信バースト３０５中でｅＮＢによって送信され得る。ＵＬ送信バースト３２０は、ｅＮＢによってスケジュールされ、ｅＮＢが、始動タイミングと、ＵＬ上で送信するＵＥの識別名とをすでに知っていることを可能にし得る。従って、ＵＬ送信バースト３２０のためのプリアンブル３２５は、利用されないことがある。ＤＬ送信バースト３０５のプリアンブル３１０によって搬送される識別情報は、ｅＮＢのセル識別名をＵＥに伝達し得る。セル識別名は、共通基準信号（ＣＲＳ）によって伝達され得る。ＣＲＳは、ＤＬ送信バースト３０５の始動に同期するために、ＵＥによって使用され得る。追加または代替として、プリアンブル３１０は、ＤＬ送信バースト３０５のチャネル復調のためのチャネル推定値を取得するために、ＵＥによって使用され得る。
【００６３】
[0075]  図４は、本開示の様々な態様による、ワイヤレス通信システムにおいて送信され得るＴＤＤフレーム構造の一例を概念的に示すブロック図４００である。図４のフレーム構造は、例えば、１つまたは複数の基地局１０５と１つまたは複数のＵＥ１１５との間で、図１を参照しながら説明したワイヤレス通信システム１００の部分を使用して通信され得る。この例において、通信は、１つまたは複数のダウンリンク（Ｄ）サブフレーム４３５と、１つまたは複数のスペシャル（Ｓ）サブフレーム４４５と、１つまたは複数のアップリンク（Ｕ）サブフレーム４４０とを含み得る。拡張ダウンリンク（Ｄ’）サブフレーム４５０が、いくつかのダウンリンクサブフレーム４３５と入れ替わり得る。拡張ダウンリンクサブフレーム４５０は、いくつかの例によれば、ダウンリンクサブフレーム４３５、スペシャルサブフレーム４４５、およびアップリンクサブフレーム４４０とは異なる階層レイヤにおいて送信され得る。図４の例において、拡張ダウンリンクサブフレーム４５０は、１つまたは複数のＤＬ送信バースト４０５を含み得る。各ＤＬ送信バースト４０５は、プリアンブル４１０と本体部分４１５とを含み得る。プリアンブル４１０は、基地局、または本体部分４１５中のデータのカテゴリーなど、送信されているデータのカテゴリーのうちの少なくとも１つに関連する識別情報を搬送し得る。識別情報は、例えば、セル識別名、セルのグループに関連するグループ識別名、あるいは本体部分４１５中でまたは他のダウンリンクサブフレーム４３５中で送信されているデータのカテゴリーの識別名を含み得る。
【００６４】
[0076]  ＴＤＤフレーム構造中に含まれる拡張ダウンリンクサブフレーム４５０の数は、システム要件、特定の時間におけるシステムの需要、または１つまたは複数の他のファクタに少なくとも一部基づいて、増加または減少し得る。場合によっては、拡張ダウンリンクサブフレーム４５０は、ダウンリンクサブフレーム４３５の代わりに、もっぱら使用され得る。そのような構成は、キャリアによって設定され得るか、半静的であり得るか、または特定の時間におけるワイヤレス通信システムの状態に少なくとも一部基づいて動的に変更され得る。
【００６５】
[0077]  図５は、本開示の様々な態様による、ワイヤレス通信システムにおいて送信され得るＴＤＤフレーム構造の一例を概念的に示すブロック図５００である。図５のフレーム構造は、例えば、１つまたは複数の基地局１０５と１つまたは複数のＵＥ１１５との間で、図１を参照しながら説明したワイヤレス通信システム１００の部分を使用して通信され得る。この例において、通信は、１つまたは複数のダウンリンク（Ｄ）サブフレーム５３５と、１つまたは複数のスペシャル（Ｓ）サブフレーム５４５と、１つまたは複数のアップリンク（Ｕ）サブフレーム５４０とを含み得る。拡張アップリンク（Ｕ’）サブフレーム５５０が、いくつかのアップリンクサブフレーム５４０と入れ替わり得る。拡張アップリンクサブフレーム５５０は、いくつかの例によれば、ダウンリンクサブフレーム５３５、スペシャルサブフレーム５４５、およびアップリンクサブフレーム５４０とは異なる階層レイヤにおいて送信され得る。図５の例において、拡張アップリンクサブフレーム５５０は、１つまたは複数のＤＬ送信バースト５０５と、１つまたは複数のＵＬ送信バースト５２０とを含み得る。
【００６６】
[0078]  各ＤＬ送信バースト５０５は、プリアンブル５１０と本体部分５１５とを含み得る。プリアンブル５１０は、基地局に関連する識別情報を搬送し得る。識別情報は、例えば、セル識別名、セルのグループに関連するグループ識別名、あるいは本体部分５１５中のまたは他のダウンリンクサブフレーム５３５中のデータのカテゴリーなど、送信されているデータのカテゴリーの識別名を含み得る。
【００６７】
[0079]  各ＵＬ送信バースト５２０は、プリアンブル５２５と本体部分５３０とを含み得る。プリアンブル５２５は、送信装置（例えば、ＵＥ）に関連する識別情報を搬送し得る。識別情報は、例えば、ＵＥ識別名、あるいは本体部分５３０中のまたは他のアップリンクサブフレーム５４０中のデータのカテゴリーなど、送信されているデータのカテゴリーの識別名を含み得る。
【００６８】
[0080]  ＴＤＤフレーム構造中に含まれる拡張アップリンクサブフレーム５５０の数は、システム要件、特定の時間におけるシステムの需要、または１つまたは複数の他のファクタに少なくとも一部基づいて、増加または減少し得る。場合によっては、拡張アップリンクサブフレーム５５０は、アップリンクサブフレーム５３５の代わりに、もっぱら使用され得る。そのような構成は、キャリアによって設定され得るか、半静的であり得るか、または所与の時間におけるワイヤレス通信システムの状態に少なくとも一部基づいて、動的に変更され得る。いくつかの例において、ＴＤＤフレーム構造は、図４に示されているような拡張ダウンリンクサブフレーム４５０と、図５に示されているような拡張アップリンクサブフレーム５５０の両方を含み得る。
【００６９】
[0081]  図６に、本開示の様々な態様による、ワイヤレス通信において使用するための装置６０５のブロック図６００を示す。装置６０５は、図１および図２を参照しながら説明したＵＥ１１５、２１５、２１６、２１７、または２１８のうちの１つまたは複数の態様の一例、あるいは図１および図２を参照しながら説明した基地局１０５、２０５、または２０６のうちの１つまたは複数の態様の一例であり得る。追加または代替として、装置６０５は、プロセッサであるか、またはプロセッサを含み得る。装置６０５は、受信機モジュール６１０と、プリアンブルモジュール６１５と、送信機モジュール６２０とを含み得る。これらのモジュールの各々は互いに通信していることがある。
【００７０】
[0082]  装置６０５のモジュールは、適用可能な機能の一部または全部をハードウェアで行うように適応された１つまたは複数の特定用途向け集積回路（ＡＳＩＣ）を使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。追加または代替として、各モジュールの機能は、全体的にまたは部分的に、１つまたは複数の汎用または特定用途向けプロセッサによって実行されるようにフォーマットされた、メモリ中に組み込まれた命令を用いて実施され得る。
【００７１】
[0083]  いくつかの例において、受信機モジュール６１０は、免許無線周波数スペクトル帯域（例えば、ＬＴＥ／ＬＴＥ−Ａ通信のために使用可能な免許無線周波数スペクトル帯域など、無線周波数スペクトル帯域が、特定の使用のために特定のユーザに免許されているので、送信装置がそれのためにアクセスを求めて競合しないことがある、無線周波数スペクトル帯域）または免許不要無線周波数スペクトル帯域（例えば、無線周波数スペクトル帯域が、Ｗｉ−Ｆｉ使用など、無免許使用のために利用可能であるので、送信装置がそれのためにアクセスを求めて競合する必要があり得る、無線周波数スペクトル帯域）上で、送信を受信するように動作可能な少なくとも１つの無線周波数（ＲＦ）受信機など、少なくとも１つのＲＦ受信機を含み得る。いくつかの例において、免許無線周波数スペクトル帯域または免許不要無線周波数スペクトル帯域は、例えば、図１または図２を参照しながら説明したように、ＬＴＥ／ＬＴＥ−Ａ通信のために使用され得る。受信機モジュール６１０は、図１または図２を参照しながら説明したワイヤレス通信システム１００または２００の１つまたは複数の通信リンクなど、ワイヤレス通信システムの１つまたは複数の通信リンク上で様々なカテゴリーのデータまたは制御信号（すなわち、送信）を受信するために使用され得る。通信リンクは、免許無線周波数スペクトル帯域または免許不要無線周波数スペクトル帯域上で確立され得る。
【００７２】
[0084]  いくつかの例において、送信機モジュール６２０は、免許無線周波数スペクトル帯域または免許不要無線周波数スペクトル帯域上で送信するように動作可能な少なくとも１つのＲＦ送信機など、少なくとも１つのＲＦ送信機を含み得る。送信機モジュール６２０は、図１または図２を参照しながら説明したワイヤレス通信システム１００または２００の１つまたは複数の通信リンクなど、ワイヤレス通信システムの１つまたは複数の通信リンク上で様々なカテゴリーのデータまたは制御信号（すなわち、送信）を送信するために使用され得る。通信リンクは、免許無線周波数スペクトル帯域または免許不要無線周波数スペクトル帯域上で確立され得る。
【００７３】
[0085]  いくつかの例において、プリアンブルモジュール６１５は、送信機モジュール６２０によって送信されるべきプリアンブルを生成するために使用され得る。他の例において、プリアンブルモジュール６１５は、受信機モジュール６１０から受信されたプリアンブルを利用し得る。
【００７４】
[0086]  送信機モジュール６２０によって送信されたプリアンブルの場合、プリアンブルは、装置６０５に関連する識別情報を搬送し得る。識別情報は、例えば、セル識別名、セルのグループに関連するグループ識別名、ＵＥ識別名、またはプリアンブルに続いて送信されているデータのカテゴリーの識別名を含み得る。いくつかの例において、プリアンブルモジュール６１５は、識別情報に少なくとも一部基づいてプリアンブルシーケンスをスクランブルすることによって、プリアンブル中に識別情報を含め得る。プリアンブルは、送信機モジュール６２０によって、送信バーストの始まりで送信され得る。
【００７５】
[0087]  いくつかの例では、プリアンブルを送信するための時間または周波数ロケーションが、識別情報に少なくとも一部基づいて決定され得る。時間または周波数ロケーションは、一定の間隔で離間したサブキャリアを含み得る。時間または周波数ロケーションは、識別情報に対してモジュロ演算を行い、モジュロ演算に少なくとも一部基づいてサブキャリアインデックスオフセットを決定することによって決定され得る。例えば、サブキャリアインデックスオフセットは、セルＩＤモジュロ３によって決定され得る。次いで、プリアンブルを送信するためのサブキャリアは、サブキャリアインデックスオフセットに少なくとも一部基づいて決定され得る。
【００７６】
[0088]  受信機モジュール６１０によって受信されたプリアンブルの場合、プリアンブルモジュール６１５は、受信された送信バーストの始まりでチャネル推定を行うために、プリアンブルを利用し得る。追加または代替として、受信されたプリアンブルは、送信バーストの始動をシグナリングし得る。送信バーストが免許不要無線周波数スペクトル上で送信される場合、プリアンブルは、免許不要無線周波数スペクトルへの正常なアクセスをシグナリングし得る。
【００７７】
[0089]  受信されたプリアンブルは、セル識別名、セルのグループに関連するグループ識別名、またはＵＥ識別名を含み得る。プリアンブルモジュール６１５は、特定の送信装置からの受信されたプリアンブルを、別の送信装置からのプリアンブルと区別し得る。プリアンブルが、知られている送信装置に一致しない識別情報（例えば、セル識別名またはＵＥ識別名）を搬送する場合、プリアンブルモジュール６１５は、未知のプリアンブルを含んでいる送信バーストの本体部分を無視し得る。
【００７８】
[0090]  プリアンブルによって搬送される識別情報が、受信されているデータのカテゴリーの識別名を含むとき、プリアンブルモジュール６１５は、カテゴリーの識別名に少なくとも一部基づいて、関係するサービスを無関係なサービスと区別し得る。例えば、関係するサービスは、装置６０５によって要求されたデータを含み得る。無関係なサービスは、肯定応答／否定応答（ＡＣＫ／ＮＡＣＫ）データなどの制御データを含み得る。
【００７９】
[0091]  図７に、本開示の様々な態様による、ワイヤレス通信において使用するための装置７０５のブロック図７００を示す。装置７０５は、図１および図２を参照しながら説明したＵＥ１１５または２１５のうちの１つまたは複数の態様の一例、あるいは図１および図２を参照しながら説明した基地局１０５または２０５のうちの１つまたは複数の態様、または図６を参照しながら説明した装置６０５の態様の一例であり得る。追加または代替として、装置７０５は、プロセッサであるか、またはプロセッサを含み得る。装置７０５は、受信機モジュール７１０と、プリアンブルモジュール７１５と、送信機モジュール７２０とを含み得る。これらのモジュールの各々は互いに通信していることがある。
【００８０】
[0092]  装置７０５のモジュールは、適用可能な機能の一部または全部をハードウェアで行うように適応された１つまたは複数の特定用途向け集積回路（ＡＳＩＣ）を使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。追加または代替として、各モジュールの機能は、全体的にまたは部分的に、１つまたは複数の汎用または特定用途向けプロセッサによって実行されるようにフォーマットされた、メモリ中に組み込まれた命令を用いて実施され得る。
【００８１】
[0093]  いくつかの例において、受信機モジュール７１０は、免許無線周波数スペクトル帯域（例えば、ＬＴＥ／ＬＴＥ−Ａ通信のために使用可能な免許無線周波数スペクトル帯域など、無線周波数スペクトル帯域が、特定の使用のために特定のユーザに免許されているので、送信装置がそれのためにアクセスを求めて競合しないことがある、無線周波数スペクトル帯域）または免許不要無線周波数スペクトル帯域（例えば、無線周波数スペクトル帯域が、Ｗｉ−Ｆｉ使用など、無免許使用のために利用可能であるので、送信装置がそれのためにアクセスを求めて競合する必要があり得る、無線周波数スペクトル帯域）上で、送信を受信するように動作可能な少なくとも１つの無線周波数（ＲＦ）受信機など、少なくとも１つのＲＦ受信機を含み得る。いくつかの例において、免許無線周波数スペクトル帯域または免許不要無線周波数スペクトル帯域は、例えば、図１または図２を参照しながら説明したように、ＬＴＥ／ＬＴＥ−Ａ通信のために使用され得る。受信機モジュール７１０は、図１または図２を参照しながら説明したワイヤレス通信システム１００または２００の１つまたは複数の通信リンクなど、ワイヤレス通信システムの１つまたは複数の通信リンク上で様々なカテゴリーのデータまたは制御信号（すなわち、送信）を受信するために使用され得る。通信リンクは、免許無線周波数スペクトル帯域または免許不要無線周波数スペクトル帯域上で確立され得る。
【００８２】
[0094]  いくつかの例において、送信機モジュール７２０は、免許無線周波数スペクトル帯域または免許不要無線周波数スペクトル帯域上で送信するように動作可能な少なくとも１つのＲＦ送信機など、少なくとも１つのＲＦ送信機を含み得る。送信機モジュール６２０は、図１または図２を参照しながら説明したワイヤレス通信システム１００または２００の１つまたは複数の通信リンクなど、ワイヤレス通信システムの１つまたは複数の通信リンク上で様々なカテゴリーのデータまたは制御信号（すなわち、送信）を送信するために使用され得る。通信リンクは、免許無線周波数スペクトル帯域または免許不要無線周波数スペクトル帯域上で確立され得る。
【００８３】
[0095]  プリアンブルモジュール７１５は、図６を参照しながら説明したプリアンブルモジュール６１５の態様の一例であり得る。プリアンブルモジュール７１５は、識別モジュール７２５を含み得る。
【００８４】
[0096]  送信機モジュール７２０によって送信されたプリアンブルの場合、プリアンブルは、装置７０５に関連する識別情報を搬送し得る。識別モジュール７２５は、プリアンブル中で伝達するための識別情報を決定し得る。識別情報は、例えば、セル識別名、セルのグループに関連するグループ識別名、ＵＥ識別名、またはプリアンブルに続いて送信されているデータのカテゴリーの識別名を含み得る。いくつかの例において、プリアンブルモジュール７１５は、識別モジュール７２５によって決定された識別情報に少なくとも一部基づいてプリアンブルシーケンスをスクランブルすることによって、プリアンブル中に識別情報を含め得る。プリアンブルは、送信機モジュール７２０によって、送信バーストの始まりで送信され得る。
【００８５】
[0097]  いくつかの例では、プリアンブルを送信するための時間または周波数ロケーションが、識別情報に少なくとも一部基づいて決定され得る。時間または周波数ロケーションは、一定の間隔で離間したサブキャリアを含み得る。時間または周波数ロケーションは、識別情報に対してモジュロ演算を行い、モジュロ演算に少なくとも一部基づいてサブキャリアインデックスオフセットを決定することによって決定され得る。例えば、サブキャリアインデックスオフセットは、セルＩＤモジュロ３によって決定され得る。次いで、プリアンブルを送信するためのサブキャリアは、サブキャリアインデックスオフセットに少なくとも一部基づいて決定され得る。
【００８６】
[0098]  受信機モジュール７１０によって受信されたプリアンブルの場合、識別モジュール７２５は、受信されたプリアンブル中で搬送されたセル識別名、セルのグループに関連するグループ識別名、またはＵＥ識別名を決定し得る。プリアンブルモジュール７１５は、特定の送信装置からの受信されたプリアンブルを、別の送信装置からのプリアンブルと区別し得る。プリアンブルが、知られている送信装置に一致しない識別情報（例えば、セル識別名またはＵＥ識別名）を搬送すると識別モジュール７２５が決定した場合、プリアンブルモジュール７１５は、未知のプリアンブルを含んでいる送信バーストの本体部分を無視し得る。
【００８７】
[0099]  プリアンブルによって搬送される識別情報が、受信されているデータのカテゴリーの識別名を含むとき、識別モジュール７２５は、データのカテゴリーを決定し得る。データのカテゴリーに少なくとも一部基づいて、プリアンブルモジュール７１５は、関係するサービスを無関係なサービスと区別し得る。
【００８８】
[0100]  図８に、本開示の様々な態様による、ワイヤレス通信において使用するためのＵＥ８１５のブロック図８００を示す。ＵＥ８１５は、様々な構成を有し得、パーソナルコンピュータ（例えば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ８１５は、いくつかの例において、モバイル動作を可能にするために、小型バッテリーなどの内部電源（図示せず）を有し得る。いくつかの例において、ＵＥ８１５は、図１および図２を参照しながら説明したＵＥ１１５または２１５のうちの１つまたは複数の態様、あるいは図６および図７を参照しながら説明した装置６０５または７０５のうちの１つまたは複数の態様の一例であり得る。ＵＥ８１５は、図１、図２、図３、図４、図５、図６、または図７を参照しながら説明したＵＥまたは装置の特徴および機能のうちの少なくともいくつかを実施するように構成され得る。
【００８９】
[0101]  ＵＥ８１５は、ＵＥプロセッサモジュール８１０、ＵＥメモリモジュール８２０、（（１つまたは複数の）ＵＥトランシーバモジュール８３０によって表される）少なくとも１つのＵＥトランシーバモジュール、（（１つまたは複数の）ＵＥアンテナ８４０によって表される）少なくとも１つのＵＥアンテナ、またはＵＥプリアンブルモジュール８５０を含み得る。これらの構成要素の各々は、１つまたは複数のバス８３５上で、直接または間接的に互いに通信していることがある。
【００９０】
[0102]  ＵＥメモリモジュール８２０は、ランダムアクセスメモリ（ＲＡＭ）または読取り専用メモリ（ＲＯＭ）を含み得る。ＵＥメモリモジュール８２０は、実行されたとき、プリアンブルの送信および受信を含む、ワイヤレス通信に関係する本明細書で説明する様々な機能をＵＥプロセッサモジュール８１０に行わせるように構成された命令を含んでいるコンピュータ可読、コンピュータ実行可能コード８２５を記憶し得る。代替的に、コード８２５は、ＵＥプロセッサモジュール８１０によって直接的に実行可能でないものの、（例えば、コンパイルされ、実行されたとき）本明細書で説明する機能のうちのいくつかをＵＥ８１５に行わせるように構成され得る。
【００９１】
[0103]  ＵＥプロセッサモジュール８１０は、インテリジェントハードウェアデバイス、例えば、中央処理ユニット（ＣＰＵ）、マイクロコントローラ、ＡＳＩＣなどを含み得る。ＵＥプロセッサモジュール８１０は、（１つまたは複数の）ＵＥトランシーバモジュール８３０を通して受信された情報、または（１つまたは複数の）ＵＥアンテナ８４０を介した送信のために（１つまたは複数の）ＵＥトランシーバモジュール８３０に送られるべき情報を処理し得る。ＵＥプロセッサモジュール８１０は、単独で、または、（１つまたは複数の）ＵＥトランシーバモジュール８３０とともに、免許無線周波数スペクトル帯域（例えば、ＬＴＥ／ＬＴＥ−Ａ通信のために使用可能な免許無線周波数スペクトル帯域など、無線周波数スペクトル帯域が、特定の使用のために特定のユーザに免許されているので、装置がそれのためにアクセスを求めて競合しない、無線周波数スペクトル帯域）または免許不要無線周波数スペクトル帯域（例えば、無線周波数スペクトル帯域が、Ｗｉ−Ｆｉ使用など、無免許使用のために利用可能であるので、装置がそれのためにアクセスを求めて競合する必要があり得る、無線周波数スペクトル帯域）上で通信すること（またはその帯域上での通信を管理すること）の様々な態様を扱い得る。ＵＥプロセッサモジュール８１０は、単独で、または、（１つまたは複数の）ＵＥトランシーバモジュール８３０とともに、超低レイテンシサブフレームを使用して通信することの様々な態様を扱い得る。
【００９２】
[0104]  （１つまたは複数の）ＵＥトランシーバモジュール８３０は、パケットを変調し、変調されたパケットを送信のために（１つまたは複数の）ＵＥアンテナ８４０に与え、（１つまたは複数の）ＵＥアンテナ８４０から受信されたパケットを復調するように構成されたモデムを含み得る。（１つまたは複数の）ＵＥトランシーバモジュール８３０は、いくつかの例において、１つまたは複数のＵＥ送信機モジュールおよび１つまたは複数の別個のＵＥ受信機モジュールとして実施され得る。（１つまたは複数の）ＵＥトランシーバモジュール８３０は、免許無線周波数スペクトル帯域または免許不要無線周波数スペクトル帯域における通信をサポートし得る。（１つまたは複数の）ＵＥトランシーバモジュール８３０は、（１つまたは複数の）ＵＥアンテナ８４０を介して、図１および図２を参照しながら説明した基地局１０５または２０５のうちの１つまたは複数、あるいは図６および図７を参照しながら説明した装置６０５または７０５と双方向に通信するように構成され得る。ＵＥ８１５は単一のＵＥアンテナを含み得るが、ＵＥ８１５が複数のＵＥアンテナ８４０を含み得る例があり得る。
【００９３】
[0105]  ＵＥプリアンブルモジュール８５０は、プリアンブルの送信または受信に関係する、図１、図２、図３、図４、図５、図６、または図７を参照しながら説明した特徴または機能の一部または全部を、行うまたは制御するように構成され得る。ＵＥプリアンブルモジュール８５０は、例えば、送信バーストのためのプリアンブルを生成するために使用され得る。プリアンブルは、ＵＥ８１５に関連する識別情報を含み得る。いくつかの例において、ＵＥプリアンブルモジュール８５０は、識別情報に少なくとも一部基づいてプリアンブルシーケンスをスクランブルすることによって、プリアンブルを生成し得る。識別情報は、ユーザ機器（ＵＥ）識別名、または送信バーストの本体部分中で搬送されるデータのカテゴリーに関連するデータ識別名を含み得る。
【００９４】
[0106]  追加または代替として、ＵＥプリアンブルモジュール８５０は、例えば、受信された送信バーストのプリアンブル中で搬送される識別情報を決定するために使用され得る。識別情報は、セル識別名、またはセルのグループに関連するグループ識別名を含み得る。追加または代替として、識別情報は、受信された送信バーストの本体部分中で搬送されるデータのカテゴリー、あるいは別の部分または送信中で搬送されるデータのカテゴリーなど、受信されているデータのカテゴリーに関連するデータ識別名を含み得る。
【００９５】
[0107]  ＵＥプリアンブルモジュール８５０は、セル識別名がサービングセル識別名に一致するかどうか、またはセルのグループに関連するグループ識別名がサービングセルのグループに関連するグループ識別名に一致するかどうかを決定し得る。セル識別名がサービングセル識別名に一致しない場合、および／またはセルのグループに関連するグループ識別名がサービングセルのグループに関連するグループ識別名に一致しない場合、ＵＥプリアンブルモジュール８５０は、受信された送信バーストの本体部分を無視し得る。追加または代替として、セル識別名がサービングセル識別名に一致しない場合、および／またはセルのグループに関連するグループ識別名がサービングセルのグループに関連するグループ識別名に一致しない場合、ＵＥプリアンブルモジュール８５０は、受信された送信バーストの干渉測定値を決定し得る。
【００９６】
[0108]  図９に、本開示の様々な態様による、ワイヤレス通信において使用するための基地局９０５（例えば、ｅＮＢの一部または全部を形成する基地局）のブロック図９００を示す。いくつかの例において、基地局９０５は、図１および図２を参照しながら説明した基地局１０５または２０５の１つまたは複数の態様、あるいは図６および図７を参照しながら説明した装置６０５または７０５の態様の一例であり得る。基地局９０５は、図１、図２、図３、図４、図５、図６、または図７を参照しながら説明した基地局の特徴および機能のうちの少なくともいくつかを実施するかまたは可能にするように構成され得る。
【００９７】
[0109]  基地局９０５は、基地局プロセッサモジュール９１０、基地局メモリモジュール９２０、（（１つまたは複数の）基地局トランシーバモジュール９５０によって表される）少なくとも１つの基地局トランシーバモジュール、（（１つまたは複数の）基地局アンテナ９５５によって表される）少なくとも１つの基地局アンテナ、または基地局プリアンブルモジュール９６０を含み得る。基地局９０５は、基地局通信モジュール９３０またはネットワーク通信モジュール９４０のうちの１つまたは複数を含み得る。これらの構成要素の各々は、１つまたは複数のバス９３５上で、直接または間接的に互いに通信していることがある。
【００９８】
[0110]  基地局メモリモジュール９２０は、ＲＡＭまたはＲＯＭを含み得る。基地局メモリモジュール９２０は、実行されたとき、プリアンブルの送信または受信を含む、ワイヤレス通信に関係する本明細書で説明する様々な機能を基地局プロセッサモジュール９１０に行わせるように構成された命令を含んでいるコンピュータ可読、コンピュータ実行可能コード９２５を記憶し得る。代替的に、コード９２５は、基地局プロセッサモジュール９１０によって直接的に実行可能ではないものの、（例えば、コンパイルされ、実行されたとき）本明細書で説明する機能のうちのいくつかを基地局９０５に行わせるように構成され得る。
【００９９】
[0111]  基地局プロセッサモジュール９１０は、インテリジェントハードウェアデバイス、例えば、ＣＰＵ、マイクロコントローラ、ＡＳＩＣなどを含み得る。基地局プロセッサモジュール９１０は、（１つまたは複数の）基地局トランシーバモジュール９５０、基地局通信モジュール９３０、またはネットワーク通信モジュール９４０を通して受信された情報を処理し得る。基地局プロセッサモジュール９１０は、（１つまたは複数の）アンテナ９５５を通した送信のために（１つまたは複数の）トランシーバモジュール９５０に送られるべき情報、１つまたは複数の他の基地局９０６および９０７への送信のために基地局通信モジュール９３０に送られるべき情報、または図１を参照しながら説明したコアネットワーク１３０の１つまたは複数の態様の一例であり得る、コアネットワーク９４５への送信のためにネットワーク通信モジュール９４０に送られるべき情報を処理し得る。基地局プロセッサモジュール９１０は、単独で、または、（１つまたは複数の）基地局トランシーバモジュール９５０とともに、免許無線周波数スペクトル帯域（例えば、ＬＴＥ／ＬＴＥ−Ａ通信のために使用可能な免許無線周波数スペクトル帯域など、無線周波数スペクトル帯域が、特定の使用のために特定のユーザに免許されているので、装置がそれのためにアクセスを求めて競合しない、無線周波数スペクトル帯域）または免許不要無線周波数スペクトル帯域（例えば、無線周波数スペクトル帯域が、Ｗｉ−Ｆｉ使用など、無免許使用のために利用可能であるので、装置がそれのためにアクセスを求めて競合する必要があり得る、無線周波数スペクトル帯域）上で通信すること（またはその帯域上での通信を管理すること）の様々な態様を扱い得る。基地局プロセッサモジュール９１０は、単独で、または、（１つまたは複数の）基地局トランシーバモジュール９５０とともに、超低レイテンシサブフレームを使用して通信することの様々な態様を扱い得る。
【０１００】
[0112]  （１つまたは複数の）基地局トランシーバモジュール９５０は、パケットを変調し、変調されたパケットを送信のために（１つまたは複数の）基地局アンテナ９５５に与え、（１つまたは複数の）基地局アンテナ９５５から受信されたパケットを復調するように構成されたモデムを含み得る。（１つまたは複数の）基地局トランシーバモジュール９５０は、いくつかの例において、１つまたは複数の基地局送信機モジュールおよび１つまたは複数の別個の基地局受信機モジュールとして実施され得る。（１つまたは複数の）基地局トランシーバモジュール９５０は、免許無線周波数スペクトル帯域または免許不要無線周波数スペクトル帯域における通信をサポートし得る。（１つまたは複数の）基地局トランシーバモジュール９５０は、（１つまたは複数の）アンテナ９５５を介して、図１、図２、および図８を参照しながら説明したＵＥ１１５、２１５、または８１５のうちの１つまたは複数、あるいは図６および図７を参照しながら説明した装置６０５または７０５のうちの１つまたは複数など、１つまたは複数のＵＥまたは装置と双方向に通信するように構成され得る。基地局９０５は、例えば、複数の基地局アンテナ９５５（例えば、アンテナアレイ）を含み得る。基地局９０５は、ネットワーク通信モジュール９４０を通してコアネットワーク９４５と通信し得る。基地局９０５は、基地局通信モジュール９３０を使用して、基地局９０６および９０７など、他の基地局と通信し得る。
【０１０１】
[0113]  基地局プリアンブルモジュール９６０は、プリアンブルの送信または受信に関係する、図１、図２、図３、図４、図５、図６、または図７を参照しながら説明した特徴または機能の一部または全部を、行うまたは制御するように構成され得る。基地局プリアンブルモジュール９６０は、例えば、送信バーストのためのプリアンブルを生成するために使用され得る。プリアンブルは、基地局９０５に関連する識別情報を含み得る。いくつかの例において、基地局プリアンブルモジュール９６０は、識別情報に少なくとも一部基づいてプリアンブルシーケンスをスクランブルすることによって、プリアンブルを生成し得る。識別情報は、セル識別名、セルのグループに関連するグループ識別名、または送信バーストの本体部分中で搬送されるデータのカテゴリーに関連するデータ識別名を含み得る。
【０１０２】
[0114]  追加または代替として、基地局プリアンブルモジュール９６０は、例えば、受信された送信バーストのプリアンブル中で搬送される識別情報を決定するために使用され得る。識別情報は、例えば、ＵＥ識別名を含み得る。追加または代替として、識別情報は、例えば、受信された送信バーストの本体部分中で搬送されるデータのカテゴリー、または送信の別の部分中で搬送されるデータのカテゴリーなど、受信されているデータのカテゴリーに関連するデータ識別名を含み得る。
【０１０３】
[0115]  基地局プリアンブルモジュール９６０は、受信されたＵＥ識別名が、基地局９０５によってサービスされているＵＥの識別名に一致するかどうかを決定し得る。ＵＥ識別名が基地局９０５によってサービスされているＵＥの識別名に一致しない場合、基地局プリアンブルモジュール９６０は、受信された送信バーストの本体部分を無視し得る。追加または代替として、ＵＥ識別名が基地局９０５によってサービスされているＵＥの識別名に一致しない場合、プリアンブルモジュールは、受信された送信バーストの干渉測定値を決定し得る。
【０１０４】
[0116]  図１０は、本開示の様々な態様による、ワイヤレス通信のための方法１０００の一例を示すフローチャートである。明快のために、方法１０００について、図１、図２、および図８を参照しながら説明したＵＥ１１５、２１５、または８１５のうちの１つまたは複数の態様、図１、図２、および図９を参照しながら説明した基地局１０５、２０５、または９０５のうちの１つまたは複数の態様、あるいは図６および図７を参照しながら説明した装置６０５または７０５のうちの１つまたは複数の態様に関して以下で説明する。いくつかの例において、基地局、ＵＥ、または装置は、以下で説明する機能を行うように基地局、ＵＥ、または装置の機能要素を制御するためのコードの１つまたは複数のセットを実行し得る。追加または代替として、基地局、ＵＥ、または装置は、専用ハードウェアを使用して、以下で説明する機能のうちの１つまたは複数を行い得る。
【０１０５】
[0117]  ブロック１００５で、方法１０００は、ワイヤレス媒体を介した送信のための送信バーストを生成することを含み得る。送信バーストは、プリアンブルと本体部分とを含み得、プリアンブルは、送信デバイスあるいは、本体部分中のデータのカテゴリーまたは送信の何か他の部分中のデータのカテゴリーなど、送信されているデータのカテゴリーのうちの少なくとも１つに関連する識別情報を含み得る。識別情報は、セル識別名、セルのグループに関連するグループ識別名、ユーザ機器（ＵＥ）識別名、または送信バーストの本体部分中で搬送されるデータのカテゴリーに関連するデータ識別名を含み得る。ブロック１００５での（１つまたは複数の）動作は、図６、図７、図８、および図９を参照しながら説明したプリアンブルモジュール６１５、７１５、８５０、または９６０を使用して行われ得る。
【０１０６】
[0118]  ブロック１０１０で、方法１０００は、ワイヤレス媒体を介して送信バーストを送信することを含み得る。いくつかの例では、プリアンブルを送信するための時間または周波数ロケーションが、識別情報に少なくとも一部基づいて決定され得る。時間または周波数ロケーションは、一定の間隔で離間したサブキャリアを含み得る。時間または周波数ロケーションは、識別情報に対してモジュロ演算を行い、モジュロ演算に少なくとも一部基づいてサブキャリアインデックスオフセットを決定することによって決定され得る。例えば、サブキャリアインデックスオフセットは、セルＩＤモジュロ３によって決定され得る。次いで、プリアンブルを送信するためのサブキャリアは、サブキャリアインデックスオフセットに少なくとも一部基づいて決定され得る。いくつかの例において、送信バーストは、免許不要無線周波数スペクトル帯域上で送信され得る。送信バーストは、超低レイテンシ送信または時分割複信（ＴＤＤ）送信を含み得る。ブロック１０１０での（１つまたは複数の）動作は、図６および図７を参照しながら説明した送信機モジュール６２０または７２０、あるいは図８および図９を参照しながら説明した（１つまたは複数の）トランシーバモジュール８３０または９５０を使用して行われ得る。
【０１０７】
[0119]  従って、方法１０００はワイヤレス通信を提供し得る。方法１０００は一実施形態にすぎないこと、および方法１０００の動作は、他の実施形態が可能であるように、並べ替えられるかまたは場合によっては変更され得ることに留意されたい。
【０１０８】
[0120]  図１１は、本開示の様々な態様による、ワイヤレス通信のための方法１１００の一例を示すフローチャートである。明快のために、方法１１００について、図１、図２、および図８を参照しながら説明したＵＥ１１５、２１５、または８１５のうちの１つまたは複数の態様、図１、図２、および図９を参照しながら説明した基地局１０５、２０５、または９０５のうちの１つまたは複数の態様、あるいは図６および図７を参照しながら説明した装置６０５または７０５のうちの１つまたは複数の態様に関して以下で説明する。いくつかの例において、基地局、ＵＥ、または装置は、以下で説明する機能を行うように基地局、ＵＥ、または装置の機能要素を制御するためのコードの１つまたは複数のセットを実行し得る。追加または代替として、基地局、ＵＥ、または装置は、専用ハードウェアを使用して、以下で説明する機能のうちの１つまたは複数を行い得る。
【０１０９】
[0121]  ブロック１１０５で、方法１１００は、プリアンブルシーケンスを決定することを含み得る。ブロック１１０５での（１つまたは複数の）動作は、図６、図７、図８、および図９を参照しながら説明したプリアンブルモジュール６１５、７１５、８５０、または９６０を使用して行われ得る。
【０１１０】
[0122]  ブロック１１１０で、方法１１００は、送信デバイスまたはデータのカテゴリーのうちの少なくとも１つに関連する識別情報に少なくとも一部基づいて、プリアンブルシーケンスをスクランブルすることを含み得る。ブロック１１１０での（１つまたは複数の）動作は、図６、図７、図８、および図９を参照しながら説明したプリアンブルモジュール６１５、７１５、８５０、または９６０を使用して行われ得る。
【０１１１】
[0123]  ブロック１１１５で、方法１１００は、ワイヤレス媒体を介した送信のための送信バーストを生成することを含み得る。送信バーストは、スクランブルされたプリアンブルシーケンスと本体部分とを含み得る。ブロック１１１５での（１つまたは複数の）動作は、図６、図７、図８、および図９を参照しながら説明したプリアンブルモジュール６１５、７１５、８５０、または９６０を使用して行われ得る。
【０１１２】
[0124]  ブロック１１２０で、方法１１００は、ワイヤレス媒体を介して送信バーストを送信することを含み得る。ブロック１１２０での（１つまたは複数の）動作は、図６および図７を参照しながら説明した送信機モジュール６２０または７２０、あるいは図８および図９を参照しながら説明した（１つまたは複数の）トランシーバモジュール８３０または９５０を使用して行われ得る。
【０１１３】
[0125]  従って、方法１１００はワイヤレス通信を提供し得る。方法１１００は一実施形態にすぎないこと、および方法１１００の動作は、他の実施形態が可能であるように、並べ替えられるかまたは場合によっては変更され得ることに留意されたい。
【０１１４】
[0126]  図１２は、本開示の様々な態様による、ワイヤレス通信のための方法１２００の一例を示すフローチャートである。明快のために、方法１２００について、図１、図２、および図８を参照しながら説明したＵＥ１１５、２１５、または８１５のうちの１つまたは複数の態様、図１、図２、および図９を参照しながら説明した基地局１０５、２０５、または９０５のうちの１つまたは複数の態様、あるいは図６および図７を参照しながら説明した装置６０５または７０５のうちの１つまたは複数の態様に関して以下で説明する。いくつかの例において、基地局、ＵＥ、または装置は、以下で説明する機能を行うように基地局、ＵＥ、または装置の機能要素を制御するためのコードの１つまたは複数のセットを実行し得る。追加または代替として、基地局、ＵＥ、または装置は、専用ハードウェアを使用して、以下で説明する機能のうちの１つまたは複数を行い得る。
【０１１５】
[0127]  ブロック１２０５で、方法１２００は、送信バーストを受信することを含み得る。送信バーストは、プリアンブルと本体部分とを含み得る。いくつかの例では、チャネル推定が、受信されたプリアンブルに少なくとも一部基づいて決定され得る。いくつかの例において、送信バーストの本体部分の始まりは、受信されたプリアンブルに少なくとも一部基づいて決定され得る。送信バーストは、免許不要無線周波数スペクトル帯域上で受信され得る。送信バーストは、超低レイテンシ通信または時分割複信（ＴＤＤ）通信を含み得る。ブロック１２０５での（１つまたは複数の）動作は、図６および図７を参照しながら説明した受信機モジュール６１０または７１０、あるいは図８および図９を参照しながら説明した（１つまたは複数の）トランシーバモジュール８３０または９５０を使用して行われ得る。
【０１１６】
[0128]  ブロック１２１０で、方法１２００は、送信バーストのプリアンブルに少なくとも一部基づいて、送信デバイスあるいは、本体部分中のデータのカテゴリーまたは送信の別の部分中のデータのカテゴリーなど、送信されているデータのカテゴリーのうちの少なくとも１つに関連する識別情報を決定することを含み得る。識別情報は、セル識別名、セルのグループに関連するグループ識別名、ユーザ機器（ＵＥ）識別名、または送信バーストの本体部分中で搬送されるデータのカテゴリーに関連するデータ識別名を含み得る。ブロック１２１０での（１つまたは複数の）動作は、図６、図７、図８、および図９を参照しながら説明したプリアンブルモジュール６１５、７１５、８５０、または９６０を使用して行われ得る。
【０１１７】
[0129]  従って、方法１２００はワイヤレス通信を提供し得る。方法１２００は一実施形態にすぎないこと、および方法１２００の動作は、他の実施形態が可能であるように、並べ替えられるかまたは場合によっては変更され得ることに留意されたい。
【０１１８】
[0130]  図１３は、本開示の様々な態様による、ワイヤレス通信のための方法１３００の一例を示すフローチャートである。明快のために、方法１３００について、図１、図２、および図８を参照しながら説明したＵＥ１１５、２１５、または８１５のうちの１つまたは複数の態様、図１、図２、および図９を参照しながら説明した基地局１０５、２０５、または９０５のうちの１つまたは複数の態様、あるいは図６および図７を参照しながら説明した装置６０５または７０５のうちの１つまたは複数の態様に関して以下で説明する。いくつかの例において、基地局、ＵＥ、または装置は、以下で説明する機能を行うように基地局、ＵＥ、または装置の機能要素を制御するためのコードの１つまたは複数のセットを実行し得る。追加または代替として、基地局、ＵＥ、または装置は、専用ハードウェアを使用して、以下で説明する機能のうちの１つまたは複数を行い得る。
【０１１９】
[0131]  ブロック１３０５で、方法１３００は、送信バーストを受信することを含み得る。送信バーストは、プリアンブルと本体部分とを含み得る。ブロック１３０５での（１つまたは複数の）動作は、図６および図７を参照しながら説明した受信機モジュール６１０または７１０、あるいは図８および図９を参照しながら説明した（１つまたは複数の）トランシーバモジュール８３０または９５０を使用して行われ得る。
【０１２０】
[0132]  ブロック１３１０で、方法１３００は、送信バーストのプリアンブルに少なくとも一部基づいて、１つまたは複数の送信デバイスに関連する、セル識別名、またはセルのグループに関連するグループ識別名を決定することを含み得る。ブロック１３１０での（１つまたは複数の）動作は、図６、図７、図８、および図９を参照しながら説明したプリアンブルモジュール６１５、７１５、８５０、または９６０を使用して行われ得る。
【０１２１】
[0133]  ブロック１３１５で、方法１３００は、セル識別名がサービングセル識別名に一致するかどうか、またはセルのグループに関連するグループ識別名がサービングセルのグループに関連するグループ識別名に一致するかどうかを決定することを含み得る。いくつかの例では、セル識別名がサービングセル識別名に一致しない場合、および／またはセルのグループに関連するグループ識別名がサービングセルのグループに関連するグループ識別名に一致しない場合、送信バーストの本体部分が無視され得る。いくつかの例では、セル識別名がサービングセル識別名に一致しない場合、および／またはセルのグループに関連するグループ識別名がサービングセルのグループに関連するグループ識別名に一致しない場合、送信バーストの干渉測定値が決定され得る。干渉測定値は、サービングセル識別名に関連するサービングセルに送信され得、これは、いくつかの例において、チャネル品質インジケータ（ＣＱＩ）報告の一部として送信され得る。いくつかの例では、セル識別名がサービングセル識別名に一致しない場合、および／またはセルのグループに関連するグループ識別名がサービングセルのグループに関連するグループ識別名に一致しない場合、送信バーストが消去され得る。ブロック１３１５での（１つまたは複数の）動作は、図６、図７、図８、および図９を参照しながら説明したプリアンブルモジュール６１５、７１５、８５０、または９６０を使用して行われ得る。
【０１２２】
[0134]  従って、方法１３００はワイヤレス通信を提供し得る。方法１３００は一実施形態にすぎないこと、および方法１３００の動作は、他の実施形態が可能であるように、並べ替えられるかまたは場合によっては変更され得ることに留意されたい。
【０１２３】
[0135]  いくつかの例では、方法１０００、１１００、１２００、および／または１３００のうちの２つまたはそれ以上からの態様が組み合わせられ得る。方法１０００、１１００、１２００、および１３００は例示的な実施形態にすぎないこと、並びに方法１０００、１１００、１２００、および１３００の動作は、他の実施形態が可能であるように、並べ替えられるかまたは場合によっては変更され得ることに留意されたい。
【０１２４】
[0136]  本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば同義で使用される。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実施し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、免許不要または共有帯域幅を介したセルラー（例えば、ＬＴＥ）通信を含む、上述のシステムおよび無線技術、並びに他のシステムおよび無線技術のために使用され得る。但し、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１２５】
[0137]  添付の図面に関して上記に記載された詳細な説明は、例について説明しており、実施され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。但し、これらの技法は、これらの具体的な詳細なしに実施され得る。いくつかの事例では、説明した例の概念を不明瞭にすることを回避するために、よく知られている構造および装置がブロック図の形式で示されている。
【０１２６】
[0138]  情報および信号は、多種多様な技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２７】
[0139]  本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を行うように設計されたそれらの任意の組合せを用いて実施または行われ得る。汎用プロセッサはマイクロプロセッサであり得るが、代替として、プロセッサは任意の従来のプロセッサ、コントローラ、マイクロコントローラ、または状態機械であり得る。追加または代替として、プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成として実施され得る。
【０１２８】
[0140]  本明細書で説明する機能は、ハードウェア、プロセッサによって実行されるソフトウェア、ファームウェア、またはそれらの組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実施形態が、本開示および添付の特許請求の範囲および趣旨内に入る。例えば、ソフトウェアの性質により、上記で説明した機能は、プロセッサ、ハードウェア、ファームウェア、ハードワイヤリング、またはこれらのうちのいずれかの組合せによって実行されるソフトウェアを使用して実施され得る。機能を実施する特徴は、機能の部分が、異なる物理的ロケーションで実施されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。例えば、組成が構成要素Ａ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（例えば、「のうちの少なくとも１つ」あるいは「のうちの１つまたは複数」などの句で終わる項目の列挙）中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２９】
[0141]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３０】
[0142]  本開示についての以上の説明は、当業者が本開示を作成または使用できるように与えられたものである。本開示への様々な変更は当業者には容易に明らかとなり、本明細書で定義した一般原理は、本開示の範囲から逸脱することなく他の変形形態に適用され得る。従って、本開示は、本明細書で説明した例および設計に限定されるべきでなく、本明細書で開示した原理および新規の特徴に合致する最も広い範囲を与えられるべきである。
以下に本願発明の当初の特許請求の範囲に記載された発明を付記する。
［Ｃ１］
ワイヤレス媒体を介した送信のための送信バーストを生成することと、前記送信バーストがプリアンブルと本体部分とを備え、ここにおいて、前記プリアンブルが、送信デバイスまたは送信されているデータのカテゴリーのうちの少なくとも１つに関連する識別情報を備える、
前記ワイヤレス媒体を介して前記送信バーストを送信することと
を備える、ワイヤレス通信のための方法。
［Ｃ２］
前記送信バーストを生成することが、
プリアンブルシーケンスを決定することと、
前記識別情報に少なくとも一部基づいて、前記プリアンブルシーケンスをスクランブルすることと
を備える、Ｃ１に記載の方法。
［Ｃ３］
前記送信バーストを送信することが、
前記識別情報に少なくとも一部基づいて、前記プリアンブルのための時間または周波数ロケーションを決定することと、
前記時間または周波数ロケーションで前記プリアンブルを送信することと
を備える、Ｃ１に記載の方法。
［Ｃ４］
前記時間または周波数ロケーションが、一定の間隔で離間したサブキャリアを備える、Ｃ３に記載の方法。
［Ｃ５］
前記識別情報が、セル識別名、セルのグループに関連するグループ識別名、ユーザ機器（ＵＥ）識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ１に記載の方法。
［Ｃ６］
前記送信バーストを送信することが、免許不要無線周波数スペクトル帯域上で送信することを備える、Ｃ１に記載の方法。
［Ｃ７］
前記送信バーストが、時分割複信（ＴＤＤ）送信を備える、Ｃ１に記載の方法。
［Ｃ８］
送信バーストを受信することと、前記送信バーストが、プリアンブルと本体部分とを備える、
前記送信バーストの前記プリアンブルに少なくとも一部基づいて、送信デバイス、前記本体部分中のデータのカテゴリー、または送信の別の部分中のデータのカテゴリーのうちの少なくとも１つに関連する識別情報を決定することと
を備える、ワイヤレス通信のための方法。
［Ｃ９］
前記識別情報が、セル識別名、セルのグループに関連するグループ識別名、ユーザ機器（ＵＥ）識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ８に記載の方法。
［Ｃ１０］
前記識別情報に少なくとも一部基づいて、前記送信バーストの前記本体部分を無視すること、または送信の別の部分を無視すること
をさらに備える、Ｃ９に記載の方法。
［Ｃ１１］
前記識別情報に少なくとも一部基づいて、前記送信バーストの干渉測定値を決定することと、
前記識別情報に関連するサービングセルに前記干渉測定値を送信することと
をさらに備える、Ｃ９に記載の方法。
［Ｃ１２］
前記識別情報に少なくとも一部基づいて、前記送信バーストの干渉測定値を決定することと、
前記干渉測定値に少なくとも一部基づいて、前記送信バーストを消去することと
をさらに備える、Ｃ９に記載の方法。
［Ｃ１３］
前記受信されたプリアンブルに少なくとも一部基づいて、チャネル推定を決定することをさらに備える、Ｃ８に記載の方法。
［Ｃ１４］
前記受信されたプリアンブルに少なくとも一部基づいて、前記送信バーストの前記本体部分の始まりを決定すること
をさらに備える、Ｃ８に記載の方法。
［Ｃ１５］
前記送信バーストが、免許不要無線周波数スペクトル帯域上で受信される、Ｃ８に記載の方法。
［Ｃ１６］
前記送信バーストが、時分割複信（ＴＤＤ）通信を備える、Ｃ８に記載の方法。
［Ｃ１７］
ワイヤレス媒体を介した送信のための送信バーストを生成するための手段と、前記送信バーストがプリアンブルと本体部分とを備え、ここにおいて、前記プリアンブルが、送信デバイスまたは送信されているデータのカテゴリーのうちの少なくとも１つに関連する識別情報を備える、
前記ワイヤレス媒体を介して前記送信バーストを送信するための手段と
を備える、ワイヤレス通信のための装置。
［Ｃ１８］
前記送信バーストを生成するための前記手段が、
プリアンブルシーケンスを決定するための手段と、
前記識別情報に少なくとも一部基づいて、前記プリアンブルシーケンスをスクランブルするための手段と
を備える、Ｃ１７に記載の装置。
［Ｃ１９］
前記送信バーストを送信するための前記手段が、
前記識別情報に少なくとも一部基づいて、前記プリアンブルのための時間または周波数ロケーションを決定するための手段と、
前記時間または周波数ロケーションで前記プリアンブルを送信するための手段と
を備える、Ｃ１７に記載の装置。
［Ｃ２０］
前記時間または周波数ロケーションが、一定の間隔で離間したサブキャリアを備える、Ｃ１９に記載の装置。
［Ｃ２１］
前記識別情報が、セル識別名、セルのグループに関連するグループ識別名、ユーザ機器（ＵＥ）識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ１７に記載の装置。
［Ｃ２２］
前記送信バーストが、時分割複信（ＴＤＤ）送信を備える、Ｃ１７に記載の装置。
［Ｃ２３］
送信バーストを受信するための手段と、前記送信バーストが、プリアンブルと本体部分とを備える、
前記送信バーストの前記プリアンブルに少なくとも一部基づいて、送信デバイス、前記本体部分中のデータのカテゴリー、または送信の別の部分中のデータのカテゴリーのうちの少なくとも１つに関連する識別情報を決定するための手段と
を備える、ワイヤレス通信のための装置。
［Ｃ２４］
前記識別情報が、セル識別名、セルのグループに関連するグループ識別名、ユーザ機器識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ２３に記載の装置。
［Ｃ２５］
前記識別情報に少なくとも一部基づいて、前記送信バーストの前記本体部分、または送信の別の部分を無視するための手段
をさらに備える、Ｃ２４に記載の装置。
［Ｃ２６］
前記識別情報に少なくとも一部基づいて、前記送信バーストの干渉測定値を決定するための手段と、
前記識別情報に関連するサービングセルに前記干渉測定値を送信するための手段と
をさらに備える、Ｃ２４に記載の装置。
［Ｃ２７］
前記送信バーストの干渉測定値を決定するための手段と、
前記干渉測定値に少なくとも一部基づいて、前記送信バーストを消去するための手段とをさらに備える、Ｃ２４に記載の装置。
［Ｃ２８］
前記受信されたプリアンブルに少なくとも一部基づいて、チャネル推定を決定するための手段
をさらに備える、Ｃ２３に記載の装置。
［Ｃ２９］
前記受信されたプリアンブルに少なくとも一部基づいて、前記送信バーストの前記本体部分の始まりを決定するための手段
をさらに備える、Ｃ２３に記載の装置。
［Ｃ３０］
前記送信バーストが、時分割複信（ＴＤＤ）通信を備える、Ｃ２３に記載の装置。
【図１】
0006672284.tif 000002
【図２】
0006672284.tif 000003
【図３】
0006672284.tif 000004
【図４】
0006672284.tif 000005
【図５】
0006672284.tif 000006
【図６】
0006672284.tif 000007
【図７】
0006672284.tif 000008
【図８】
0006672284.tif 000009
【図９】
0006672284.tif 000010
【図１０】
0006672284.tif 000011
【図１１】
0006672284.tif 000012
【図１２】
0006672284.tif 000013
【図１３】
0006672284.tif 000014